(57)【要約】【課題】エレベーターのリニューアルに際し、新規の巻上機を短時間で簡単かつ安全に機械室まで揚重することができる巻上機揚重方法を提供する。【解決手段】最下階の乗り場床１６のレベルで停止している既設の乗りかご９内に新規の巻上機１７を搬入し、この乗りかご９を使用して最上階または最上階近辺の階まで搬送した後、当該位置で乗りかご天井１３を解体または開閉して開口部２２を設け、しかる後、機械室１に設置した電動チェーンブロック７等の揚重装置を用いて、乗りかご９内に搭載された巻上機１７を開口部２２から吊上げて機械室１の所定高さ位置まで揚重するようにした。【選択図】図１
2016074534.tif 000002
【特許請求の範囲】
【請求項１】
昇降路の頂部に形成された機械室に巻上機を設置し、前記巻上機に巻き掛けられた主索を介して乗りかごおよび釣合おもりが前記昇降路内を昇降案内されるエレベーターのリニューアルに際し、前記機械室に新規の巻上機を揚重する巻上機揚重方法において、
新規の巻上機を前記乗りかご内に載置して最上階または最上階近辺の階まで搬送した後、前記乗りかごを当該位置に保持具を用いて固定し、この状態で前記乗りかごの天井を解体または開閉して開口部を設けた後、前記機械室に設置した揚重装置を用いて前記巻上機を前記開口部から前記昇降路内に吊上げて前記機械室の所定高さ位置まで揚重することを特徴とする巻上機揚重方法。
【発明の詳細な説明】
【技術分野】
【０００１】
本発明は、昇降路頂部の機械室に設置された巻上機に主索を巻き掛け、この主索を介して乗りかごおよび釣合おもりが昇降路内を昇降するエレベーターのリニューアルにおいて、新規の巻上機を機械室に揚重するための巻上機揚重方法に関するものである。
【背景技術】
【０００２】
エレベーターのリニューアルに際し、重量物である新規の巻上機を機械室へ搬入する作業は、顧客の利便性を考慮してエレベーターの停止時間を短くして揚重することが望ましい。そのため、通常は、エレベーターを運行しながらクレーン等の重機を用いて揚重を行うことにより、巻上機を昇降路頂部の機械室へ運搬するようにしていた。
【０００３】
しかし、リニューアルの需要の大多数を占める都市部においては、エレベーターの設置された建屋周辺の道路事情や建屋の密集状態よってクレーン等の重機を使用できない場合が多く、また、屋上から機械室まで階段や段差等がある場合も重機を用いての搬入が困難となるため、クレーン等の重機による揚重に変わる巻上機の揚重方法が求められていた。
【０００４】
そこで従来より、最下階乗り場の床面とほぼ同一高さの床面を有する受け台を昇降路のピットに設置し、エレベーター部品（例えば巻上機）を台車上に搭載した状態で、この台車を最下階乗り場から受け台の床面上に移動させた後、昇降路の頂部に支持されたウインチによって巻上機を吊上げて所定高さまで搬送するようにした巻上機揚重方法が提案されている（例えば、特許文献１参照）。
【０００５】
このような巻上機揚重方法によれば、巻上機を台車に搭載したまま昇降路内まで搬入したとき、昇降路頂部の機械室に支持されたウインチのほぼ真下付近に位置するため、重量物である巻上機を容易かつ安全に機械室の所定高さ位置まで揚重することができる。
【先行技術文献】
【特許文献】
【０００６】
【特許文献１】特開平１０−２１８５２８号公報
【発明の概要】
【発明が解決しようとする課題】
【０００７】
しかしながら、特許文献１に開示された従来の巻上機揚重方法では、受け台を昇降路のピット内に設置してから巻上機の揚重作業を開始し、揚重作業後には設置した受け台を解体する必要があり、この受け台は昇降路のピット深さに対応させるために、部品点数も多くて設置や解体作業に時間が掛かかるという問題があった。また、巻上機はエレベーター部品の中でも特に重量物であり、受け台を構成する部品にも適切な安全率を確保する必要があるため、受け台は強固な部品によって構成されており、部品自体も重たいものとなっていた。このため、作業者や第三者の安全確保に十分に配慮しながら作業する必要があり、しかも、受け台の建屋内運搬時や設置、解体時の建屋設備の損傷防止対策にも配慮する必要がある。さらに、巻上機を昇降路の最下部のピットから最頂部の機械室まで揚重する必要があるため、巻上機の揚重距離が長くなって時間が掛かるという問題もあった。
【０００８】
本発明は、このような従来技術の実情に鑑みてなされたもので、その目的は、エレベーターのリニューアルに際し、新規の巻上機を短時間で簡単かつ安全に機械室まで揚重することができる巻上機揚重方法を提供することにある。
【課題を解決するための手段】
【０００９】
上記の目的を達成するために、本発明は、昇降路の頂部に形成された機械室に巻上機を設置し、前記巻上機に巻き掛けられた主索を介して乗りかごおよび釣合おもりが前記昇降路内を昇降案内されるエレベーターのリニューアルに際し、前記機械室に新規の巻上機を揚重する巻上機揚重方法において、新規の巻上機を前記乗りかご内に載置して最上階または最上階近辺の階まで搬送した後、前記乗りかごを当該位置に保持具を用いて固定し、この状態で前記乗りかごの天井を解体または開閉して開口部を設けた後、前記機械室に設置した揚重装置を用いて前記巻上機を前記開口部から前記昇降路内に吊上げて前記機械室の所定高さ位置まで揚重することを特徴としている。
【発明の効果】
【００１０】
本発明の巻上機揚重方法によれば、エレベーターのリニューアルに際し、既設の乗りかごを使用して新規の巻上機を最上階または最上階近辺の階まで搬送した後、当該位置で乗りかごの天井を開口して巻上機を吊上げることができるため、わざわざ受け台を設置したり解体する作業が不要となり、新規の巻上機を短時間で簡単かつ安全に機械室まで揚重することができる。前述した以外の課題、構成および効果は、以下の実施形態の説明により明らかにされる。
【図面の簡単な説明】
【００１１】
【図１】実施形態例に係る巻上機揚重方法の作業開始状態を示す説明図である。
【図２】実施形態例に係る巻上機揚重方法の作業途中状態を示す説明図である。
【図３】実施形態例に係る巻上機揚重方法の作業終了状態を示す説明図である。
【発明を実施するための形態】
【００１２】
発明の実施の形態について図面を参照して説明すると、図１〜図３は本発明の巻上機揚重方法により巻上機を最下階から機械室まで搬送する作業手順を示す説明図である。
【００１３】
これらの図において、１は建屋頂部に設けられた機械室、２は図示せぬ制御盤や巻上機等が設置された機械室床、３は機械室床２に設けられた揚重穴、４は揚重穴３を包囲するように機械室床２上に固定された巻上機ビーム、５は揚重穴３を跨ぐように機械室床２上に設置された門型揚重雇、６は門型揚重雇５に取付けられて水平方向に自在に可動するトロリー、７はトロリー６に固定された電動チェーンブロックであり、これら門型揚重雇５とトロリー６および電動チェーンブロック７によって揚重装置が構成されている。
【００１４】
また、８は機械室１の真下に設けられた昇降路、９は昇降路８内を昇降可能な乗りかご、１０は乗りかご枠、１１は乗りかご床、１２は乗りかご側板、１３は乗りかご天井であり、これら乗りかご枠１０と乗りかご床１１と乗りかご側板１２および乗りかご天井１３は乗りかご９を構成している。
【００１５】
さらに、１４は昇降路８内の鉛直方向に一定の間隔で設けられた主レール固定ブラケット、１５は主レール固定ブラケット１４を用いて昇降路８の側壁に固定された主レール、１６は最下階の乗り場床、１７はエレベーターのリニューアル用の新規の巻上機、１８はこの巻上機１７を揚重するための揚重治具、１９は巻上機１７を方向自在に運搬するための運搬台車、２０は最上階の乗り場床、２１は乗りかご９を所定の高さ位置に固定するための保持具である乗りかご吊りワイヤー、２２は乗りかご天井１３に設けられた開口部である。
【００１６】
まず、図１に示すように、新規の巻上機１７を運搬台車１９に載置したまま、この運搬台車１９を最下階の乗り場床１６のレベルで停止している乗りかご９の内部に搬入した後、エレベーターを運転して乗りかご９を昇降路８の上方へ移動する。
【００１７】
そして、図２に示すように、乗りかご９を最上階の乗り場床２０のレベルで停止させた後、この状態で乗りかご吊りワイヤー２１を主レール固定ブラケット１４と乗りかご枠１０の上部を連結するように巻き付け固定することにより、乗りかご９を昇降路８内の所定高さ位置に固定する。
【００１８】
次に、機械室１の所定位置に門型揚重雇５を設置したうえで、乗りかご９と図示しない釣合おもりを連結している主索を取外し、この状態で機械室１に設置された図示しない既設の巻上機を門型揚重雇５を用いて揚重、撤去する。なお、主索の取外し作業と既設巻上機の撤去作業については通常のリニューアル作業と同様であるため、ここでは詳細な説明を省略する。
【００１９】
次に、乗りかご９を構成している乗りかご天井１３を巻上機１７が搬出可能な分だけ解体して開口部２２を設ける。その際、予め開口部２２を開閉可能とした乗りかご天井１３を採用すれば、わざわざ乗りかご天井１３を解体しなくても簡単に開口部２２を設けることができる。しかる後、門型揚重雇５に取付けられた電動チェーンブロック７を操作することにより、電動チェーンブロック７の先端に設けられたフックを開口部２２から乗りかご９内に降下させ、このフックを乗りかご９に載置された巻上機１７の揚重治具１８に引っ掛ける。
【００２０】
次に、図３に示すように、電動チェーンブロック７を操作して巻上機１７を吊上げる。このとき、電動チェーンブロック７は門型揚重雇５に水平方向へ移動可能に取付けられたトロリー６に固定されているため、巻上機１７は乗りかご天井１３に設けられた開口部２２を通過した後、さらに機械室床２の揚重穴３を通過して機械室１まで揚重され、この巻上機１７を巻上機ビーム４の所定位置に載置することができる。
【００２１】
以上説明したように、本発明の実施形態例に係る巻上機揚重方法によれば、エレベーターのリニューアルに際し、既設の乗りかご９を使用して新規の巻上機１７を最上階または最上階近辺の階まで搬送した後、当該位置で乗りかご天井１３に設けた開口部２２を通して巻上機１７を吊上げることができる。このため、最下階乗り場の床面とほぼ同一高さの床面を有する受け台を昇降路８のピットに設置する必要がなく、巻上機の揚重作業後に受け台を解体する必要もなくなり、新規の巻上機１７を短時間で簡単かつ安全に機械室１の所定高さ位置まで揚重することが可能となる。
【００２２】
なお、上述したような揚重方法によって既設の巻上機を新規の巻上機１７にリニューアルした後、既設の乗りかごを新規の乗りかごにリニューアルするようにしても良い。
【符号の説明】
【００２３】
１  機械室
２  機械室床
３  揚重穴
４  巻上機ビーム
５  門型揚重雇
６  トロリー
７  電動チェーンブロック
８  昇降路
９  乗りかご
１０  乗りかご枠
１１  乗りかご床
１２  乗りかご側板
１３  乗りかご天井
１４  主レール固定ブラケット
１５  主レール
１６  最下階の乗り場床
１７  新規の巻上機
１８  揚重治具
１９  運搬台車
２０  最上階の乗り場床
２１  乗りかご吊りワイヤー（保持具）
２２  開口部
【図１】
2016074534.tif 000003
【図２】
2016074534.tif 000004
【図３】
2016074534.tif 000005